(57)【特許請求の範囲】
【請求項１】
建物の基礎部の外周部分に沿って連続して設けられる外側布基礎と、該外側布基礎によって囲まれる内側部分の全域に亘って形成される基礎スラブとからなる基礎構造を構築するための基礎工法であって、
前記外周部分に沿って根切りを行った後、該根切り部の底面仕上げを行って前記外側布基礎のフーティング部を形成する根切り・フーティングコンクリート工程と、
前記フーティング部に前記布基礎の地中立上り部の型枠となる外側断熱材型枠と内側断熱材型枠とを、前記外側断熱材型枠を前記基礎スラブの略敷均し面まで、前記内側断熱材型枠を前記基礎スラブの略下地面まで立設させて設置し、該外側断熱材型枠の外側と内側断熱材型枠の内側の根切り部を埋戻すことによりこれらを位置決め固定する地中立上り型枠取付・埋戻し工程と、
前記埋戻された根切り部によって囲まれる内側部分を整地した後、当該内側部分の全域に亘って、前記内側断熱材型枠の天端面まで土間断熱材を敷設する土間下地工程と、
前記外側断熱材型枠によって囲まれる、前記外側断熱材型枠と内側断熱材型枠との間の地中立上り部、及び前記敷設した土間断熱材の上面にコンクリートを打込んで前記地中立上り部及び基礎スラブを一体として形成する布基礎・基礎スラブコンクリート工程と、
前記一体として形成された布基礎・基礎スラブコンクリートの上面に布型枠を設置し、立上り布コンクリートを打込んで形成する立上り布コンクリート工程とからなり、
前記立上り型枠取付・埋戻し工程において、前記外側断熱材型枠と内側断熱材型枠との間の間隔を保持するようにして両端に断熱パットによる密着プレートを有するセパレータを、前記断熱パットによる両端の外側密着面を前記外側断熱材型枠と前記内側断熱材型枠の内側面に密着させた状態でこれらの背面側に突出することなく取り付けて、前記外側断熱材型枠と内側断熱材型枠が型枠の内側に倒れ込むのを防止すると共に、前記根切り部に埋戻された土砂の土圧によって前記外側断熱材型枠と内側断熱材型枠が型枠の外側に倒れ込むのを防止し、
前記土間下地工程において、前記土間断熱材を、前記内側断熱材型枠と根切り部との間の境目及び前記内側断熱材型枠の上端面を覆って当該上端面まで敷設することを特徴とする基礎工法。
【請求項２】
前記立上り型枠取付・埋戻し工程又は土間下地工程において、前記立設させた外側断熱材型枠の上端面には角材を取り付けると共に、該角材と外側断熱材型枠との接合部を外側から覆って貫材を取り付け、且つ前記根切り部の外側の地盤に支持させて前記角材との間にサポート部材を掛け渡すことにより、前記外側断熱材型枠を前記外側の地盤から支持固定する請求項１記載の基礎工法。
【請求項３】
前記外側断熱材型枠が発泡ガラス断熱材からなり、前記内側断熱材型枠が有機系発泡断熱材からなる請求項１又は２に記載の基礎工法。
【請求項４】
前記根切り・フーティングコンクリート工程に先立って、前記外側布基礎のフーティング部の下方の地中に杭を打ち込む請求項１〜３のいずれか１項に記載の基礎工法。
【請求項５】
前記根切り・フーティングコンクリート工程に先立って、前記基礎スラブの上面に形成される立上り布コンクリートの下方の地中に杭を打ち込む請求項１〜４のいずれか１項に記載の基礎工法。
【発明の詳細な説明】
【０００１】
【発明の属する技術分野】
本発明は、建物の基礎部の外周部分に沿って設けられる外側布基礎と、外側布基礎の内側部分に形成される基礎スラブとからなる基礎構造を構築するための基礎工法に関する。
【０００２】
【従来の技術及び発明が解決しようとする課題】
例えば住宅建築物等の建物の基礎構造としては、布基礎による基礎構造が知られており、従来の布基礎は、建物の外周部分の基礎のみならず、内側部分の間仕切基礎についても、同じような断面形状の布基礎が、同じような施工方法によって形成されていた。すなわち、従来の布基礎によれば、図６（ａ）〜（ｆ）に示す以下の施工手順によって形成されていた。
【０００３】
すなわち、建物の位置やＧＬ（グランドレベル）の高さを出すための整地・測量作業を行った後、まず根切りを行い、根切り部５０の底部に砕石５１を投入して敷均し転圧すると共に捨てコンクリート５２を打設する（（ａ）参照）。次に、フーティング型枠５３や鉄筋５４を設置してフーティングコンクリート５５を打設形成する（（ｂ）参照）。さらに、立上り型枠５６を取り付けると共に、セパレータ５７や単管パイプ５８、サポート部材５９等を介して立上り型枠５６を固定し、また鉄筋５４に支持させてアンカーボルト６０を設置する（（ｃ）参照）。しかる後に、固定した型枠５６の内部に立上りコンクリート６１を打設し（（ｄ）参照）、養生期間の経過後に立上り型枠５６を解体して根切り部５０を埋戻す（（ｅ）参照）。そして、立上りコンクリート６１の間の地盤面には、その表面を整地した後、防湿シート６２を敷設し、防湿コンクリート６３を打設する（（ｆ）参照）。
【０００４】
また、例えば寒冷地等において、周囲の地盤からの断熱性が要求される基礎地盤に設けられる布基礎については、基礎の深さを深くしたり、布基礎に発泡ポリスチレン等からなる有機系発泡断熱材を張り付けて断熱性を確保する方法が採用されている。
【０００５】
しかしながら、従来の布基礎によれば、建物の外周部分の基礎みならず、内側部分の間仕切基礎についても同じような断面形状の布基礎が設けられるため、根切りによって生じる残土の処理量が多くなり、また間仕切基礎の根切りもなされることにより残土をストックするスペースを建物の基礎部の内側部分に確保することが困難となって、残土や埋戻し土砂の搬出、搬入作業に多くの手間を要することになる。また、コンクリートを打設した後に型枠を解体する作業を必要とするため、かかる作業にも多くの手間を要することになる。そして、このような残土や埋戻し土砂の搬出、搬入作業や型枠の解体作業の手間は、基礎が深くなるにつれて増大し、施工性が悪くなると共に、施工コストも増大することになる。
【０００６】
本発明は、このような従来の課題に着目してなされたもので、残土や埋戻し土砂の搬出、搬入作業や型枠の解体作業を軽減して、多くの手間を要することなく建物の基礎構造を容易かつ低コストで構築することを可能にする基礎工法を提供することを目的とする。
【０００７】
【課題を解決するための手段】
本発明は、建物の基礎部の外周部分に沿って連続して設けられる外側布基礎と、該外側布基礎によって囲まれる内側部分の全域に亘って形成される基礎スラブとからなる基礎構造を構築するための基礎工法であって、前記外周部分に沿って根切りを行った後、該根切り部の底面仕上げを行って前記外側布基礎のフーティング部を形成する根切り・フーティングコンクリート工程と、前記フーティング部に前記布基礎の地中立上り部の型枠となる外側断熱材型枠と内側断熱材型枠とを、前記外側断熱材型枠を前記基礎スラブの略敷均し面まで、前記内側断熱材型枠を前記基礎スラブの略下地面まで立設させて設置し、該外側断熱材型枠の外側と内側断熱材型枠の内側の根切り部を埋戻すことによりこれらを位置決め固定する地中立上り型枠取付・埋戻し工程と、前記埋戻された根切り部によって囲まれる内側部分を整地した後、当該内側部分の全域に亘って、前記内側断熱材型枠の天端面まで土間断熱材を敷設する土間下地工程と、前記外側断熱材型枠によって囲まれる、前記外側断熱材型枠と内側断熱材型枠との間の地中立上り部、及び前記敷設した土間断熱材の上面にコンクリートを打込んで前記地中立上り部及び基礎スラブを一体として形成する布基礎・基礎スラブコンクリート工程と、前記一体として形成された布基礎・基礎スラブコンクリートの上面に布型枠を設置し、立上り布コンクリートを打込んで形成する立上り布コンクリート工程とからなり、前記立上り型枠取付・埋戻し工程において、前記外側断熱材型枠と内側断熱材型枠との間の間隔を保持するようにして両端に断熱パットによる密着プレートを有するセパレータを、前記断熱パットによる両端の外側密着面を前記外側断熱材型枠と前記内側断熱材型枠の内側面に密着させた状態でこれらの背面側に突出することなく取り付けて、前記外側断熱材型枠と内側断熱材型枠が型枠の内側に倒れ込むのを防止すると共に、前記根切り部に埋戻された土砂の土圧によって前記外側断熱材型枠と内側断熱材型枠が型枠の外側に倒れ込むのを防止し、前記土間下地工程において、前記土間断熱材を、前記内側断熱材型枠と根切り部との間の境目及び前記内側断熱材型枠の上端面を覆って当該上端面まで敷設することを特徴とする基礎工法を提供することにより、上記目的を達成したものである（請求項１記載の発明）。
【０００８】
本発明の基礎工法は、前記立上り型枠取付・埋戻し工程又は土間下地工程において、前記立設させた外側断熱材型枠の上端面には角材を取り付けると共に、該角材と外側断熱材型枠との接合部を外側から覆って貫材を取り付け、且つ前記根切り部の外側の地盤に支持させて前記角材との間にサポート部材を掛け渡すことにより、前記外側断熱材型枠を前記外側の地盤から支持固定することが好ましい（請求項２記載の発明）。
【０００９】
また、本発明の基礎工法は、前記外側断熱材型枠を発泡ガラス断熱材によって形成し、前記内側断熱材型枠を有機系発泡断熱材によって形成することが好ましい（請求項３記載の発明）。
【００１１】
さらに、本発明の基礎工法は、前記根切り・フーティングコンクリート工程に先立って、前記外側布基礎のフーティング部の下方の地中に杭を打ち込むことが好ましい（請求項４記載の発明）。
【００１２】
さらにまた、本発明の基礎工法は、前記根切り・フーティングコンクリート工程に先立って、前記基礎スラブの上面に形成される立上り布コンクリートの下方の地中に杭を打ち込むことが好ましい（請求項５記載の発明）。
【００１３】
【発明の実施の形態】
以下本発明の好ましい実施形態を添付図面を参照しつつ詳細に説明する。本実施形態の基礎工法は、例えば寒冷地に建設される住宅建築物等の建物の基礎構造を構築するために採用されたものである。なお、寒冷地においては、土壌の凍結による建物の凍上を効果的に防止するために、建物の基礎深さ（凍結深度）を例えば６０ｃｍ以上とするよう、行政指導がなされている。
【００１４】
そして、本実施形態の基礎工法は、図１（ａ）〜（ｆ）に示すように、建物の基礎部の外周部分に沿って連続して設けられる外側布基礎１０と、外側布基礎１０によって囲まれる内側部分の全域に亘って形成される基礎スラブ１１とからなる基礎構造１２（（ｆ）参照）を構築するための基礎工法であって、外周部分に沿って根切りを行った後、根切り部１３の底面仕上げを行って外側布基礎１０のフーティング部１４を形成する根切り・フーティングコンクリート工程と、フーティング部１４に外側布基礎１０の地中立上り部１８の型枠となる外側断熱材型枠１５と内側断熱材型枠１６とを、外側断熱材型枠１５を基礎スラブ１１の略敷き均し面まで、内側断熱材型枠１６を基礎スラブ１１の略下地面まで立設させて設置し、外側断熱材型枠１５の外側と内側断熱材型枠１６の内側の根切り部１３を埋戻すことによりこれらを位置決め固定する地中立上り型枠取付・埋戻し工程と、埋戻された根切り部１３によって囲まれる内側部分を整地した後、当該内側部分の全域に亘って、内側断熱材型枠１６の天端面まで土間断熱材１７を敷設する土間下地工程と、外側断熱材型枠１５によって囲まれる、外側断熱材型枠１５と内側断熱材型枠１６との間の地中立上り部１８、及び敷設した土間断熱材１７の上面にコンクリートを打込んで地中立上り部１８及び基礎スラブ１１を一体として形成する布基礎・基礎スラブコンクリート工程と、一体として形成された布基礎・基礎スラブコンクリート１８，１１の上面に布型枠１９を設置し、立上り布コンクリート２０を打込んで形成する立上り布コンクリート工程とによって構成される。
【００１５】
根切り・フーティングコンクリート工程では、建物の建築現場の地盤面を所定のグランドレベル（ＧＬ）となるように平坦に整地し、建物の位置に関する測量作業を行った後、建物の外周部分に位置する地盤に人力或いは機械堀りによって掘削作業を行うことにより、図１（ａ）に示すように、例えば地盤面における幅が８００〜１２００ｍｍ程度、底面における幅が６００ｍｍ程度、深さが８００ｍｍ程度の大きさの台形断面の根切り部１３を形成する。また、根切り部１３の底部には、砕石２１を投入して例えば１５０ｍｍ程度の厚さで均一に敷き均し転圧すると共に、捨てコンクリート２２を例えば５０ｍｍ程度の厚さで打設する。
【００１６】
なお、本実施形態によれば、根切り部１３は、外側布基礎１０が設けられる建物の外周部分のみに掘削形成され、間仕切り基礎用の布基礎は設けられないことから、外側布基礎１０の内側部分には根切り部は形成されないことになる。従って、外側布基礎１０の内側部分の相当に広さの平坦な領域の一区画に、根切り部１３を掘削する際に生じる残土の一部を、内側断熱材型枠１６の内側の根切り部１３を埋戻すための土砂として必要量容易にストックしておくことが可能になる。
【００１７】
根切り部１３の底部に、砕石２１及び捨てコンクリート２２による底面仕上げを施したら、図１（ｂ）に示すように、捨てコンクリート２２の表面に、フーティング部１４の地墨を出し、フーティング型枠２３を組み立て、さらにフーティング鉄筋及び立上り鉄筋２４を配筋する。これらの鉄筋は予め所定の形状に加工したものを地墨に合わせて配設し、コンクリートのかぶりに注意して組み上げる。型枠２３及び鉄筋を設置したら、フーチングコンクリートを打設して例えば幅５００ｍｍ程度、厚さが１５０ｍｍ程度の大きさの矩形断面形状のフーティング部１４を形成する。コンクリートはジャンカ等が生じないようにしつつ、均一、平坦に仕上げる。フーチングコンクリートが硬化して養生期間が経過したら、フーティング型枠２３を取り外し、形成されたフーティング部１４の上面に、地中立上り部１８の地墨を正確に出す。
【００１８】
地中立上り型枠取付・埋戻し工程では、図１（ｃ）に示すように、まず外側断熱材型枠１５と内側断熱材型枠１６とを立設させた状態で位置決め固定する。すなわち、図２及び図３にも示すように、外側断熱材型枠１５と内側断熱材型枠１６とを地墨に合わせて精度良く垂直に立設させつつ基礎部の外周部分の全周に亘って連続配置すると共に、外側断熱材型枠１５と内側断熱材型枠１６との間の間隔を、両端に密着プレートとしての断熱パット２５を有するセパレータ２６を取り付けることにより保持して、立上り部１８の厚さを確保する。
【００１９】
本実施形態によれば、外側断熱材型枠１５は発泡ガラス断熱材から形成され、内側断熱材型枠１６は発泡ポリスチレン等からなる有機系発泡断熱材から形成されている。発泡ガラス断熱材及び有機系発泡断熱材は、いずれも外気からの冷気を効果的に遮断する機能を備えると共に、丸鋸やカッター等を用いて所望の形状に容易に切断加工することができる物性を備えている。そして、外側断熱材型枠１５は例えば厚さ５０ｍｍ程度、高さ４５０ｍｍ程度の矩形断面形状を備える複数の板状部材に加工形成され、これを周方向に連接することにより、基礎スラブ１１の敷き均し面の高さと略一致させて、敷き均し面よりも例えば５０ｍｍ程度低い、グランドレベルと同じ高さで立上り部１８の外周面に沿って連続配置される。内側断熱材型枠１６は例えば厚さ５０ｍｍ程度、高さ３５０ｍｍ程度の矩形断面形状を備える複数の板状部材に加工形成され、これを周方向に連接することにより、基礎スラブ１１の下地面の高さと略一致させて、下地面よりも例えば１０ｍｍ程度低い高さで立上り部１８の内周面に沿って連続配置される。
【００２０】
なお、外側断熱材型枠１５を設置する際には、地墨による外側板状断熱材１５の取り付け位置の外側に沿って、断熱材の切れ端や桟木等からなる型枠押さえ２７を予めフーティング部１４の上面に固定釘等を介して固定しておくことにより、外部側板状断熱材１５の下端部が外側にずれないようにすることができる。また、コーナー部に設置される外側断熱材型枠１５の一方の板状部材の端部に、外側断熱材型枠１５の厚さに相当する幅の断面が矩形状の切り込み２８を設けておき、他方の板状部材の端部をこの切り込み２８に填め込むように係止することによって、コーナー部の位置ずれを効果的に回避することが可能になる。そして、外側断熱材型枠１５の設置作業は、コーナー部より行い、複数の板状部材をガムテープや釘を用いて順次連接一体化してゆく。
【００２１】
一方、内側断熱材型枠１６は、例えば３０ｃｍ程度のピッチで２段に配置されるセパレータ２６を介在させながら、外側断熱材型枠１５との間に立上り部１８の厚さに等しい例えば１６０ｍｍの間隔を保持しつつ位置決め固定されることになる。そして、内側断熱材型枠１６の設置作業もまた、コーナー部より行い、複数の板状部材をガムテープや釘を用いて順次連接一体化してゆく。コーナー部に設置される内側断熱材型枠１６の板状部材の端部にも適宜切り込みを設けて、コーナー部の内側断熱材型枠１６の位置ずれを効果的に回避することもできる。
【００２２】
本実施形態によれば、外側断熱材型枠１５と内側断熱材型枠１６との間に介在するセパレータ２６は、図４にも示すように、金属ロッド２９の両端に、例えば合成樹脂等からなる一対の断熱パット２５をねじ込むことにより一体化してなるもので、両端の断熱パット２５の外側密着面の間の長さが立上り部１８の厚さに等しい例えば１６０ｍｍとなるように設定されている。各断熱パット２５は、平坦な外側密着面を有する例えば直径８０ｍｍ程度の大きさの円形のプレート部材である。各断熱パット２５には釘孔３０が開口形成されており、この釘孔３０から外側断熱材型枠１５或いは内側断熱材型枠１６に向けて固定釘を差し込むことにより、各外側密着面を密着させて、外側断熱材型枠１５と内側断熱材型枠１６との間の所望の位置に各断熱パット２５が位置決め固定されることになる。
【００２３】
セパレータ２６は、例えば３００ｍｍ程度のピッチで、外側断熱材型枠１５或いは内側断熱材型枠１６の背面側に突出することなく配置固定されると共に、図３に示すように、外側断熱材型枠１５或いは内側断熱材型枠１６を構成する板状部材の接合部３１に跨るように配設され、これによって当該接合部３１における隣接する板状部材間のずれを効果的に回避できるようになっている。またセパレータ２６は、図２に示すように、内側断熱材型枠１６の上端部分及び下端部分に位置して２段に配置されると共に、上段側のセパレータ２６の断熱パット２５の上端が、内側断熱材型枠１６の上端面よりも、土間下断熱材１７の厚さ分として例えば１０ｍｍ程度上方に突出するように設けられている。なお、セパレータ２６は、外側断熱材型枠１５或いは内側断熱材型枠１６の背面側に突出することなく設けられていることにより、外側断熱材型枠１５の外側及び内側断熱材型枠１６の内側の根切り部１３を埋戻す際に、埋戻し作業の邪魔になることがない。
【００２４】
地中立上り型枠取付・埋戻し工程では、さらに、外側断熱材型枠１５の外側と内側断熱材型枠１６の内側の根切り部１３を埋戻すことにより外側断熱材型枠１５及び内側断熱材型枠１６を位置決め固定する作業を行う。すなわち、根切り作業時に建物の基礎部の外側及び内側に各々ストックしておいた掘削土砂を、外側断熱材型枠１５の外側と内側断熱材型枠１６の内側の根切り部１３に各々投入しつつ、足や機械で転圧しながら、外側断熱材型枠１５の外側はグランドレベルである外側断熱材型枠１５の天端面まで、内側断熱材型枠１６の内側は基礎スラブ１１の下地面より１０ｍｍ程度低い内側断熱材型枠１６の天端面まで徐々に埋戻してゆく。
【００２５】
ここで、このような埋戻し作業は、建物の基礎部の外側及び内側に各々ストックしておいた根切り作業時の掘削土砂を用いて行うことができるので、残土や埋戻し土砂の搬出・搬入作業の手間を大幅に軽減することが可能になる。また、埋戻し作業は、建物の外周部分の全周に亘る外側断熱材型枠１５及び内側断熱材型枠１６の取付作業の完了を待たずに、これらが設置された部分から先行して、型枠１５，１６の取付作業と併行して行うことができる。
【００２６】
そして、このような埋戻し作業が完了することにより、外側断熱材型枠１５と内側断熱材型枠１６との間の間隔を保持するようにして取り付けられたセパレータ２６によって、外側断熱材型枠１５と内側断熱材型枠１６が型枠１５，１６の内側に倒れ込もうとするのを効果的に防止することが可能になり、また根切り部１３に埋戻された土砂の土圧によって、外側断熱材型枠１５と内側断熱材型枠１６が型枠１５，１６の外側に倒れ込もうとするのを効果的に防止することが可能になり、これらによって外側断熱材型枠１５及び内側断熱材型枠１６が根切り部１３に強固に位置決め固定されることになる。
【００２７】
また、本実施形態によれば、地中立上り型枠取付・埋戻し工程において、立設させた外側断熱材型枠１５の上端面にはこれの全周に亘って角材３２が取り付けられると共に、この角材３２と外側断熱材型枠１５との接合部３３を外側から覆うようにして貫材３４が取り付けられ、且つ根切り部１３の外側の地盤に支持させて角材３２との間にサポート部材３５を掛け渡すことにより、外側断熱材型枠１６を外側の地盤からも支持固定する。
【００２８】
ここで、角材３２は、例えば縦横５０ｍｍ程度の大きさの正方形断面を有し、外側断熱材型枠１５の上端面に固定釘等を介して固定されることにより、当該角材３２の上端面の高さが基礎スラブ１１の敷き均し面の高さと一致することになる。貫材３４は、例えば厚さ１８ｍｍ程度、幅８０ｍｍ程度の断面形状を有する帯板部材であって、固定釘等を介して角材３２と外側断熱材型枠１５との接合部３３を外側から覆うように取り付けられ、当該接合部３３を補強する。サポート部材３５は桟木からなり、根切り部１３の外側の地盤に打ち込んだ木杭３６と、角材３２或いはこれと一体化された貫材３４との間に掛け渡される。サポート部材３５は、外側断熱材型枠１６を強固に支持固定して、コンクリート打設時に外側断熱材型枠１５が外側に膨らむのを効果的に防止できるように、例えば１２００ｍｍ程度のピッチで設けられる。またサポート部材３５を掛け渡す際に、外側断熱材型枠１５の通り線上に水系を張って、外側断熱材型枠１５が曲がることなく直線状に連接するように精度良くその位置を調整することができる。さらに角材３２及び貫材３４は、地中立上り部１８及び基礎スラブ１１のコンクリートが打設されるまでの間、外側断熱材型枠１５の上端部分が破損しないように防護する機能も果すことになる。
【００２９】
なお、角材３２、貫材３４、及びサポート部材３５の取付け作業は、地中立上り型枠取付・埋戻し工程において、根切り部１３の埋戻し作業に先立って行っても良く、根切り部１３を埋戻してからこれらを取付けることもできる。また、後述する土間下地工程においてこれらを取付けても良い。
【００３０】
土間下地工程では、図１（ｄ）に示すように、まず埋戻された根切り部１３によって囲まれる建物の基礎部の内側部分を整地する。整地作業は、必要に応じて良質な土や砂を投入しつつ行ない、ランマー等より転圧することによって、内側断熱材型枠１６の内側の埋戻された根切り部１３を含めて、外側断熱材型枠１５と内側断熱材型枠１６との間に土が入らないように注意しつつ平坦に仕上げる。建物の基礎部の内側部分を整地した後、当該内側部分の全域に亘って土間断熱材１７を敷設する。土間断熱材１７は、例えば発泡ポリスチレン等の有機系発泡断熱材からなる厚さが例えば１０ｍｍ程度の薄板シート状部材であって、複数の薄板シート状部材をガムテープで止めたり、鉄筋を差して止めたりしてずれを防止しつつ敷設して行く。土間断熱材１７を、内側断熱材型枠１６の内側の埋戻した根切り部１３から内側断熱材型枠１６の上端面を覆って敷設する際には、図２に示すように、土間断熱材１７の端面を、内側断熱材型枠１６の上端面よりも１０ｍｍ程度上方に突出させて設けた上記セパレータ２６の断熱パット２５に当接させることにより、土間断熱材１７を、型枠１５，１６の内部の空間にはみ出させることなくスムーズに設置して行くことが可能になる。
【００３１】
そして、本実施形態によれば、土間断熱材１７が、建物の基礎部の内側部分の全体に敷設されることにより、建物の床下の冷気が下方の地盤に伝わるのを効果的に回避することが可能になる。また土間断熱材１７が、内側断熱材型枠１６と、これの内側の埋戻された根切り部１３との間の境目３８を覆って内側断熱材型枠１６の上端面まで敷設されていることにより、下方の地盤からの水分の侵入を効果的に回避して防湿効果を高めることが可能になる。
【００３２】
土間断熱材１７を敷設して基礎スラブ１１の下地処理が終了したら、基礎スラブ用鉄筋３９を配筋することにより、外側布基礎１０の地中立上り部１８及び基礎スラブ１１にコンクリートを打設するための準備が完了する。
【００３３】
布基礎・基礎スラブコンクリート工程では、図１（ｅ）に示すように、外側断熱材型枠１５によって囲まれる、外側断熱材型枠１５と内側断熱材型枠１６との間、及び土間断熱材１７の上面にコンクリートを同時に打込んで、地中立上り部１８及び基礎スラブ１１を一体として形成する。外側断熱材型枠１５の上端面に固定された角材３２の天端面の高さは、基礎スラブ１１の敷き均し面の高さと一致しているので、この高さにあわせてコンクリートを平坦かつ均一に打設し、敷き均す。ここで、地中立上り部１８及び基礎スラブ１１のコンクリートが一体として打設形成されることにより、下方の地盤からの水分の上昇を効果的に回避して防湿効果を発揮することができ、土台等の木製部材が腐食するのを防止することが可能になる。
【００３４】
立上り布コンクリート工程では、一体として形成された外側布基礎１０の地中立上り部１８及び基礎スラブ１１のコンクリートの上面に、地墨を出した後、布型枠４０を設置すると共に、立上り鉄筋２４に支持させてアンカーボルト４１を取り付け、しかる後に立上り布コンクリート２０を打込んで、例えば幅１６０ｍｍ程度、高さ４００ｍｍ程度の大きさの矩形断面形状となるように形成する。ここで、布型枠４０は、グランドレベルよりも上方の地中立上り部１８及び基礎スラブ１１の上面において、木製型枠や単管パイプを用いた一般の組立方法によって、通り、高さ、立ちに注意しつつ容易かつ強固に組み立てることができる。コンクリートを打設して、所定の期間養生したら、図１（ｆ）に示すように、地中立上り部１８、基礎スラブ１１、及び立上り布コンクリート２０を傷つけないようにしつつ、布型枠４０を解体する。なお、外側断熱材型枠１５の上端部分に取り付けられた角材３２及び貫材３４も撤去し、これによって、外側断熱材型枠１５の天端面の高さは、グランドレベルの高さで収まるようになる。
【００３５】
上述の工程による本実施形態の基礎工法によって形成された基礎構造１２は、図５に示すように、外側布基礎１０のフーティング部１４及び地中立上り部１８と、基礎スラブ１１と、立上り布コンクリート２０とが一体として形成されたものであり、且つ外側断熱材型枠１５と内側断熱材型枠１６とを撤去することなくそのまま地中に残置して断熱材として利用するものである。そして、本実施形態の基礎構造１２によれば、外側断熱材型枠１５と内側断熱材型枠１６との断熱作用により、周囲の地盤からの優れた断熱性が発揮されることになる。また、基礎スラブ１１の下面に土間断熱材１７が敷設されていることで、これの下方の基礎地盤の凍上を効果的に防止することが可能となり、且つ防湿基礎を構成して床下の防湿が可能となる。さらに、従来の技術によれば、間仕切り基礎に大きな木製梁材を渡して床下地としていることにより、木製梁材のたわみによる床の不陸が発生しやすかったが、本実施形態によれば、基礎スラブ１１から束によって梁材を受けることができ、これによって床の構成を強固にすることが可能になる。さらにまた、外側布基礎１０のみならず基礎スラブ１１の全体でも建物の荷重を受けることになり、不動沈下を効果的に回避することが可能になると共に、地耐力が弱い場所にも低コストで基礎構造１２を設けることが可能になる。
【００３６】
また、根切り・フーティングコンクリート工程に先立って、外側布基礎１０のフーティング部１４の下方の地中や、基礎スラブ１１の上面に形成される立上り布コンクリート２０の下方の地中に、例えば支持杭、場所打ちコンクリート杭、柱状改良杭、摩擦杭等による杭４２を打ち込んでおくことにより、さらに強固な支持力を備える基礎構造１２を得ることが可能になる。
【００３７】
さらに、本実施形態の基礎構造１２によれば、外側断熱材型枠１５が発泡ガラス断熱材によって形成されていることから、シロアリ等に対する優れた防蟻性が発揮されることになると共に、生物劣化にも強く、高い耐久性を備えることになる。また発泡ガラス断熱材は無機質発泡体なので、耐火性や耐薬品性に優れ、火炎の着火、展炎等の心配もなく、基礎用断熱材として安心して使用することができる。このような発泡ガラス断熱材としては、例えば商品名「コリグラス」（ゲーテハウス株式会社製）等を使用することができる。
【００３８】
そして、本実施形態の基礎工法によれば、間仕切り基礎用の布基礎は設けられず、また外側布基礎１０の内側部分に、根切り部１３を掘削する際に生じる残土の一部を埋戻し用の土砂として必要量ストックしておくことができるので、残土や埋戻し土砂の搬出、搬入作業を軽減することができると共に、外側断熱材型枠１５や内側断熱材型枠１６を解体する必要がないため、従来にような単管パイプ等を用いた型枠の解体作業を大幅に軽減することができ、これらによって、多くの手間を要することなく、短い工期で施工の効率化を図りつつ、建物の基礎構造１２を容易かつ低コストで構築することが可能になる。
【００３９】
なお、本発明は上記実施形態に限定されることなく種々の変更が可能である。例えば、本発明の基礎工法は、寒冷地のみならずその他の地域に建築される種々の建物の基礎構造を設けるべく採用することができる。また、外側断熱材型枠として発泡ガラス断熱材を、内側断熱材型枠として有機系発泡断熱材を用いる必要は必ずしもなく、双方共に発泡ガラス断熱材としたり、或いは有機系発泡断熱材とすることもできる。土間断熱材として発泡ガラス断熱材からなるものを用いても良い。さらに、外側断熱材型枠の上端部に角材や貫材を取り付ける必要は必ずしもなく、外側布基礎のフーティング部や立上り布コンクリートの下方の地中に杭を打ち込む必要は必ずしもない。
【００４０】
【発明の効果】
以上詳細に説明したように、本発明の基礎工法によれば、残土や埋戻し土砂の搬出、搬入作業や型枠の解体作業を軽減して、多くの手間を要することなく建物の基礎構造を容易かつ低コストで構築することができる。
【図面の簡単な説明】
【図１】（ａ）〜（ｆ）は、本発明の一実施形態に係る基礎工法の作業工程を説明する断面図である。
【図２】外側断熱材型枠及び内側断熱材型枠を位置決め固定した状態を示す断面図である。
【図３】外側断熱材型枠及び内側断熱材型枠を位置決め固定した状態を示す部分平面図である。
【図４】外側断熱材型枠と内側断熱材型枠との間の間隔を保持するセパレータの斜視図である。
【図５】本発明の一実施形態に係る基礎工法により構築された基礎構造の断面図である。
【図６】（ａ）〜（ｆ）は、従来の基礎工法の作業工程を説明する断面図である。
【符号の説明】
１０  外側布基礎
１１  基礎スラブ
１２  基礎構造
１３  根切り部
１４  フーティング部
１５  外側断熱材型枠
１６  内側断熱材型枠
１７  土間断熱材
１８  地中立上り部
１９  布型枠
２０  立上り布コンクリート
２３  フーティング型枠
２５  断熱パット（密着プレート）
２６  セパレータ
３２  角材
３３  角材と外側断熱材型枠との接合部
３４  貫材
３５  サポート部材
４０  布型枠
４１  アンカーボルト
４２  杭
【図１】
0004726366.tif 000002
【図２】
0004726366.tif 000003
【図３】
0004726366.tif 000004
【図４】
0004726366.tif 000005
【図５】
0004726366.tif 000006
【図６】
0004726366.tif 000007